(57)【要約】【課題】品質の劣化を抑制することが可能な表示装置及びカバー部材を提供する。【解決手段】表示領域に画像を表示する表示モジュールと、前記表示領域に対向する透過部と、前記表示モジュールの前記表示領域よりも外側の周辺エリアに対向する第１着色部と、前記第１着色部の外側に位置する第２着色部と、を備えたカバー部材と、前記表示モジュールと前記カバー部材とを接着する感光性樹脂と、を備え、前記第１着色部は、前記第２着色部よりも前記感光性樹脂を硬化させる波長の光の透過率が高い、表示装置。【選択図】      図２
2014056223.tif 000002
【特許請求の範囲】
【請求項１】
表示領域に画像を表示する表示モジュールと、
前記表示領域に対向する透過部と、前記表示モジュールの前記表示領域よりも外側の周辺エリアに対向する第１着色部と、前記第１着色部の外側に位置する第２着色部と、を備えたカバー部材と、
前記表示モジュールと前記カバー部材とを接着する感光性樹脂と、を備え、
前記第１着色部は、前記第２着色部よりも前記感光性樹脂を硬化させる波長の光の透過率が高い、表示装置。
【請求項２】
前記感光性樹脂のエッジは、前記第１着色部と対向する位置にある、請求項１に記載の表示装置。
【請求項３】
前記感光性樹脂のエッジは、前記表示モジュールのエッジよりも前記表示領域側に位置している、請求項１または２に記載の表示装置。
【請求項４】
前記カバー部材は、透明な基材と、前記基材の前記表示モジュールと対向する側において前記第１着色部及び前記第２着色部に亘って配置された第１着色層と、前記第２着色部において前記第１着色層に積層された第２着色層と、を備え、
前記第１着色層は、前記第２着色層よりも前記感光性樹脂を硬化させる波長の光の透過率が高い、請求項１乃至３のいずれか１項に記載の表示装置。
【請求項５】
前記第１着色部は、前記透過部の周囲に連続的に形成された枠状である、請求項１乃至４のいずれか１項に記載の表示装置。
【請求項６】
前記表示モジュールは、タッチセンサーを内蔵した表示パネルを備えた、請求項１乃至５のいずれか１項に記載の表示装置。
【請求項７】
さらに、前記表示モジュールと前記カバー部材との間にタッチセンサーを備えた、請求項１乃至５のいずれか１項に記載の表示装置。
【請求項８】
前記カバー部材は、前記表示モジュール側にタッチセンサーを備えた、請求項１乃至５のいずれか１項に記載の表示装置。
【請求項９】
表示領域に画像を表示する表示モジュールに対向配置され、前記表示モジュールと感光性樹脂によって接着されるカバー部材であって、
前記表示領域に対向する透過部と、
前記表示モジュールの前記表示領域よりも外側の周辺エリアに対向する第１着色部と、
前記第１着色部の外側に位置する第２着色部と、を備え、
前記第１着色部は、前記第２着色部よりも前記感光性樹脂を硬化させる波長の光の透過率が高い、カバー部材。
【請求項１０】
さらに、タッチセンサーを備えた、請求項９に記載のカバー部材。
【発明の詳細な説明】
【技術分野】
【０００１】
本発明の実施形態は、表示装置及びカバー部材に関する。
【背景技術】
【０００２】
近年、省スペース・省電力等の対環境性の観点から、ディスプレイデバイスとして液晶モニターや液晶テレビ、携帯電話、スマートフォン、タブレット、電子ブック、ノート型パーソナルコンピュータに代表されるように、液晶パネルや有機エレクトロルミネッセンス（ＥＬ）パネルを採用した商品が増加している。特に、スマートフォン、タブレット、電子ブック、携帯電話などの各種電子機器には、液晶パネルや有機ＥＬパネルなどの表示パネルはもちろん、画面表面を指などで触れることで位置情報を入力できるタッチパネルや、画面の表示部分以外の外周部分を覆い隠すカバーガラスなどが使用されている。
【０００３】
これらの表示パネル、タッチパネル、カバーガラスなどの薄板同士を貼り合わせる技術として、紫外線硬化型樹脂を一方の薄板表面に塗布し、他方の薄板を重ね合わせ、樹脂が必要充填領域まで広がった後に紫外線を照射して樹脂を硬化する技術がある。
【０００４】
ところで、樹脂を充填すべき領域は、樹脂の塗布量のバラツキや気泡の抑制などを考慮すると、画像を表示する表示領域（以下、アクティブエリアと称する）のみに制限することは困難である。このため、樹脂の充填領域は、アクティブエリアよりも外側に拡大し、光を透過しにくい遮光層などで覆われたカバーガラスの外周部にまで及ぶ場合がある。このような場合、樹脂の充填領域のうち、硬化に必要な紫外線が到達しにくい領域が遮光層の下方に発生してしまう。このような領域では、未硬化の樹脂の広がりが抑えられず、樹脂が表示パネルよりも外側まではみ出してしまうこともある。
【０００５】
特に、スマートフォンやタブレットなどは、モバイル用途としての使命を果たすべく、コンパクト化及びアクティブエリアの大画面化を両立させるために、市場要望である「狭額縁」の仕様へと技術開発が進められている。このため、表示パネルについても、アクティブエリアよりも外側の周辺エリアの幅が狭くなってきているため、樹脂の広がりを周辺エリアで止めることがより一層重要になっている。表示パネルの外側まではみ出した樹脂は、表示パネルを電子機器本体に組み込み際に邪魔となり、品質の劣化に繋がる恐れがある。また、はみ出した樹脂を除去する工程では、除去した樹脂が汚染物質となり、品質劣化の要因となってしまう。
【先行技術文献】
【特許文献】
【０００６】
【特許文献１】特開２００９−０９８３２４号公報
【発明の概要】
【発明が解決しようとする課題】
【０００７】
本実施形態の目的は、品質の劣化を抑制することが可能な表示装置及びカバー部材を提供することにある。
【課題を解決するための手段】
【０００８】
本実施形態によれば、
表示領域に画像を表示する表示モジュールと、前記表示領域に対向する透過部と、前記表示モジュールの前記表示領域よりも外側の周辺エリアに対向する第１着色部と、前記第１着色部の外側に位置する第２着色部と、を備えたカバー部材と、前記表示モジュールと前記カバー部材とを接着する感光性樹脂と、を備え、前記第１着色部は、前記第２着色部よりも前記感光性樹脂を硬化させる波長の光の透過率が高い、表示装置が提供される。
【０００９】
本実施形態によれば、
表示領域に画像を表示する表示モジュールに対向配置され、前記表示モジュールと感光性樹脂によって接着されるカバー部材であって、前記表示領域に対向する透過部と、前記表示モジュールの前記表示領域よりも外側の周辺エリアに対向する第１着色部と、前記第１着色部の外側に位置する第２着色部と、を備え、前記第１着色部は、前記第２着色部よりも前記感光性樹脂を硬化させる波長の光の透過率が高い、カバー部材が提供される。
【図面の簡単な説明】
【００１０】
【図１】図１は、本実施形態の表示装置ＤＳＰに適用可能な表示パネルＰＮＬの一例を概略的に示す平面図である。
【図２】図２は、図１に示した表示パネルＰＮＬを含む表示装置ＤＳＰの断面を概略的に示す断面図である。
【図３】図３は、図２に示したカバー部材ＣＢの一例を示す平面図である。
【図４】図４は、図３に示したカバー部材ＣＢの周縁部分の断面図である。
【図５】図５は、図４に示したカバー部材ＣＢの第１着色層１１及び第２着色層１２の透過スペクトルの一例を模式的に示す図である。
【図６】図６は、図２に示したカバー部材ＣＢの他の例を示す平面図である。
【図７】図７は、図６に示したカバー部材ＣＢの周縁部分の断面図である。
【図８】図８は、図１に示した表示パネルＰＮＬを含む表示装置ＤＳＰの他の例の断面を概略的に示す断面図である。
【図９】図９は、本実施形態の表示装置ＤＳＰに適用可能なカバー部材ＣＢの他の例の断面を概略的に示す断面図である。
【図１０】図１０は、本実施形態の表示装置ＤＳＰに適用可能なカバー部材ＣＢの他の例の断面を概略的に示す断面図である。
【発明を実施するための形態】
【００１１】
以下、本実施形態について、図面を参照しながら詳細に説明する。なお、各図において、同一又は類似した機能を発揮する構成要素には同一の参照符号を付し、重複する説明は省略する。
【００１２】
図１は、本実施形態の表示装置ＤＳＰに適用可能な表示パネルＰＮＬの一例を概略的に示す平面図である。ここでは、表示パネルＰＮＬの一例として、液晶パネルについて説明するが、有機エレクトロルミネッセンスパネルなどの他の表示パネルを適用しても良い。
【００１３】
すなわち、表示パネルＰＮＬは、アクティブマトリクスタイプの液晶パネルであり、アレイ基板ＡＲと、アレイ基板ＡＲに対向配置された対向基板ＣＴと、アレイ基板ＡＲと対向基板ＣＴとの間に保持された液晶層ＬＱと、を備えている。アレイ基板ＡＲと対向基板ＣＴとは、これらの間に所定のセルギャップを形成した状態でシール材ＳＥによって貼り合わせられている。このセルギャップは、アレイ基板ＡＲまたは対向基板ＣＴに形成された図示しない柱状スペーサによって形成されている。液晶層ＬＱは、アレイ基板ＡＲと対向基板ＣＴとの間のセルギャップにおいてシール材ＳＥによって囲まれた内側に保持されている。
【００１４】
このような表示パネルＰＮＬは、シール材ＳＥによって囲まれた内側に、画像を表示するアクティブエリアＡＣＴを備えている。アクティブエリアＡＣＴは、例えば、略長方形状であり、ｍ×ｎ個のマトリクス状に配置された複数の画素ＰＸによって構成されている（但し、ｍ及びｎは正の整数である）。
【００１５】
アレイ基板ＡＲは、第１方向Ｘに沿って延在したゲート配線Ｇ、第１方向Ｘに直交する第２方向Ｙに沿って延在したソース配線Ｓ、ゲート配線Ｇ及びソース配線Ｓに接続されたスイッチング素子ＳＷ、スイッチング素子ＳＷに接続された画素電極ＰＥなどを備えている。液晶層ＬＱを介して画素電極ＰＥの各々と対向する対向電極ＣＥは、例えば対向基板ＣＴに備えられている。
【００１６】
なお、液晶パネルの詳細な構成については説明を省略するが、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの主として縦電界を利用するモードや、ＩＰＳ（Ｉｎ−Ｐｌａｎｅ  Ｓｗｉｔｃｈｉｎｇ）モード、ＦＦＳ（Ｆｒｉｎｇｅ  Ｆｉｅｌｄ  Ｓｗｉｔｃｈｉｎｇ）モードなどの主として横電界を利用するモードなどを適用可能に構成されている。横電界を利用するモードを適用した構成では、画素電極ＰＥ及び対向電極ＣＥの双方がアレイ基板ＡＲに備えられる。
【００１７】
駆動ＩＣチップ２及びフレキシブル・プリンテッド・サーキット（ＦＰＣ）基板３などの表示パネルＰＮＬの駆動に必要な信号供給源は、アクティブエリアＡＣＴよりも外側の周辺エリアＰＲＰに位置している。図示した例では、駆動ＩＣチップ２及びＦＰＣ基板３は、対向基板ＣＴの基板端部ＣＴＥよりも外側に延出したアレイ基板ＡＲの実装部ＭＴに実装されている。
【００１８】
なお、上記の表示パネルＰＮＬは、アクティブエリアＡＣＴに画像を表示する機能に加えて、検出面において物体の接触を検知するタッチセンサーを内蔵していても良い。このようなタッチセンサーについての詳細は省略するが、例えば、センシング用配線の静電容量の変化を検出する静電容量方式などが適用可能である。
【００１９】
図２は、図１に示した表示パネルＰＮＬを含む表示装置ＤＳＰの断面を概略的に示す断面図である。
【００２０】
表示装置ＤＳＰは、アクティブエリアＡＣＴに画像を表示する表示モジュールＭＤＬと、表示モジュールＭＤＬに対向配置されたカバー部材ＣＢと、表示モジュールＭＤＬとカバー部材ＣＢとを接着する感光性樹脂ＰＳＲと、を備えている。図示した例では、表示モジュールＭＤＬは、図１に示した表示パネルＰＮＬ及びバックライトＢＬを備えている。なお、表示パネルＰＮＬ及びバックライトＢＬは、一体化されていても良い。
【００２１】
バックライトＢＬは、表示パネルＰＮＬの背面側に配置されている。バックライトＢＬとしては、種々の形態が適用可能であり、また、光源として発光ダイオード（ＬＥＤ）を利用したものや冷陰極管（ＣＣＦＬ）を利用したものなどのいずれでも適用可能であり、詳細な構造については説明を省略する。
【００２２】
表示パネルＰＮＬは、アレイ基板ＡＲと対向基板ＣＴとの間に液晶層ＬＱを保持している。アレイ基板ＡＲと対向基板ＣＴとは、シール材ＳＥによって貼り合わせられている。アレイ基板ＡＲについて、対向基板ＣＴと向かい合う内面側の構造については詳細な説明を省略する。バックライトＢＬと対向するアレイ基板ＡＲの外面には、第１偏光板ＰＬ１を含む第１光学素子ＯＤ１が接着されている。この第１光学素子ＯＤ１は、アクティブエリアＡＣＴの全体に亘って配置されている。
【００２３】
対向基板ＣＴについて、アレイ基板ＡＲと向かい合う内面側の構造については詳細な説明を省略するが、周辺遮光層ＳＨＤが形成されている。この周辺遮光層ＳＨＤは、アクティブエリアＡＣＴの周囲に形成されており、詳述しないが、アクティブエリアＡＣＴを囲む矩形枠状に形成されている。つまり、周辺遮光層ＳＨＤは、表示パネルＰＮＬの周辺エリアＰＲＰに配置されている。カバー部材ＣＢと対向する対向基板ＣＴの外面には、第２偏光板ＰＬ２を含む第２光学素子ＯＤ２が接着されている。この第２光学素子ＯＤ２は、アクティブエリアＡＣＴの全体に亘って配置されている。
【００２４】
カバー部材ＣＢは、透過部ＴＲ、第１着色部Ｃ１、及び、第２着色部Ｃ２を備えている。透過部ＴＲは、透明であり、表示モジュールＭＤＬのアクティブエリアＡＣＴに対向している。第１着色部Ｃ１は、透過部ＴＲの外側に位置している。この第１着色部Ｃ１は、表示モジュールＭＤＬの周辺エリアＰＲＰに対向している。第２着色部Ｃ２は、第１着色部Ｃ１の外側に位置している。カバー部材ＣＢの具体的な構造については、後に詳述する。なお、図示した例では、第１着色部Ｃ１が透過部ＴＲに隣接しているが、第１着色部Ｃ１と透過部ＴＲとの間に他の着色部が介在していても良い。
【００２５】
第１着色部Ｃ１及び第２着色部Ｃ２のそれぞれの色は、黒色でも良いし、他のカラーバリエーションも採用可能である。つまり、第１着色部Ｃ１及び第２着色部Ｃ２は、カバー部材ＣＢの前面側から観察した際に表示モジュールＭＤＬの周辺エリアＰＲＰの視認を抑制する（あるいはカバー部材ＣＢの前面側から表示モジュールＭＤＬの周辺エリアＰＲＰへの光の侵入を阻止する）ように着色されている。
【００２６】
また、第１着色部Ｃ１及び第２着色部Ｃ２の色味は同一であることが望ましい。例えば、カバー部材ＣＢの前面側から入射した可視光に対する第１着色部Ｃ１及び第２着色部Ｃ２のそれぞれの反射率及び透過率は略同等である。このため、第１着色部Ｃ１と第２着色部Ｃ２との境界は、ほとんど視認されることはない。
【００２７】
但し、特定波長の光に対する透過率については、第１着色部Ｃ１と第２着色部とで異なる。すなわち、第１着色部Ｃ１は、第２着色部Ｃ２よりも特定波長の光に対する透過率が高い。ここでの特定波長とは、後述する感光性樹脂ＰＳＲを硬化させるために照射される光の波長である。例えば、第１着色部Ｃ１は、第２着色部Ｃ２よりも紫外線波長の光に対する透過率が高い。
【００２８】
感光性樹脂ＰＳＲは、特定波長の光が照射されることにより硬化する透明な材料であり、例えば、紫外線（例えば３８０ｎｍ以下の波長範囲の光）の照射によって硬化する紫外線硬化型のアクリル系樹脂などによって形成されている。感光性樹脂ＰＳＲは、表示モジュールＭＤＬの表面と、カバー部材ＣＢの裏面との間に介在している。図示した例では、感光性樹脂ＰＳＲは、表示モジュールＭＤＬ側では第２光学素子ＯＤ２に接触し、カバー部材ＣＢ側では透過部ＴＲ及び第１着色部Ｃ１に接触している。
【００２９】
感光性樹脂ＰＳＲのエッジＰＳＲＥは、カバー部材ＣＢの第１着色部Ｃ１と対向する位置にあり、透過部ＴＲよりも外側に位置し、第２着色部Ｃ２よりも内側に位置している。また、感光性樹脂ＰＳＲのエッジＰＳＲＥは、表示モジュールＭＤＬの周辺エリアＰＲＰに位置しており、アクティブエリアＡＣＴよりも外側に位置し、表示モジュールＭＤＬのエッジＭＤＬＥよりも内側（つまりアクティブエリア側）に位置している。なお、エッジＰＳＲＥの一部が第２着色部Ｃ２と対向する位置にあっても良い。
【００３０】
図３は、図２に示したカバー部材ＣＢの一例を示す平面図である。
【００３１】
カバー部材ＣＢは、例えば、第１方向Ｘに短辺を有するとともに第２方向Ｙに長辺を有する長方形状である。透過部ＴＲは、カバー部材ＣＢの中央部に位置しており、その形状はアクティブエリアＡＣＴの形状に対応している。第１着色部Ｃ１は、図中に右上がりのハッチングで示した領域であり、透過部ＴＲの周囲に連続的に形成された枠状である。第２着色部Ｃ２は、図中のクロスハッチングで示した領域であり、第１着色部Ｃ１の周囲に連続的に形成された枠状である。
【００３２】
図示した例では、透過部ＴＲは、長方形状に形成されている。また、第１着色部Ｃ１は、透過部ＴＲを囲む矩形枠状に形成されている。また、第２着色部Ｃ２は、第１着色部Ｃ１を囲む矩形枠状に形成されている。なお、第１着色部Ｃ１は、透過部ＴＲの周囲に不連続的に形成されていても良い。
【００３３】
図４は、図３に示したカバー部材ＣＢの周縁部分の断面図である。
【００３４】
すなわち、カバー部材ＣＢは、透明な基材１０と、第１着色層１１と、第２着色層１２と、を備えて構成されている。基材１０は、透明なガラス板やプラスチック板などであり、その厚さは特に問わず、比較的薄いフィルム状であっても良いし、比較的厚い平板状であっても良い。第１着色層１１は、基材１０の内面１０Ａ（つまり図示しない表示モジュールと対向する側）において、第１着色部Ｃ１及び第２着色部Ｃ２に亘って配置されており、透過部ＴＲには配置されていない。第２着色層１２は、第２着色部Ｃ２において第１着色層１１に積層されており、透過部ＴＲ及び第１着色部Ｃ１には配置されていない。図示した例では、第２着色層１２は、第１着色層１１の表示モジュール側に配置されている。これらの第１着色層１１及び第２着色層１２は、印刷、蒸着、フォトリソグラフィなどの手法を用いて形成されている。
【００３５】
要するに、透過部ＴＲには第１着色層１１及び第２着色層１２のいずれも配置されず、第１着色部Ｃ１には第１着色層１１が配置される一方で第２着色層１２は配置されず、第２着色部Ｃ２には第１着色層１１及び第２着色層１２が積層されている。
【００３６】
なお、カバー部材ＣＢは、さらに、透過部ＴＲにおける基材１０の内面１０Ａ、第１着色部Ｃ１における第１着色層１１、第２着色部Ｃ２における第２着色層１２のそれぞれを覆う透明なオーバーコート層を備えていても良い。オーバーコート層は、例えば、透明な樹脂によって形成され、内面１０Ａ、第１着色層１１、及び、第２着色層１２の凹凸を平坦化する。
【００３７】
図５は、図４に示したカバー部材ＣＢの第１着色層１１及び第２着色層１２の透過スペクトルの一例を模式的に示す図である。
【００３８】
図の横軸は、波長（ｎｍ）であり、縦軸は透過率Ｔである。第１着色層１１の透過スペクトルｔ１は、３８０ｎｍ以下の紫外線波長において比較的高い透過率を呈し、３８０ｎｍ〜７８０ｎｍの可視光波長においては紫外線波長よりも低い透過率を呈する。特に、第１着色層１１が黒色である場合には、可視光波長の透過率は極めて低い。第２着色層１２の透過スペクトルｔ２は、３８０ｎｍ以下の紫外線波長において比較的低い透過率を呈する。紫外線波長においては、第１着色層１１の透過率は第２着色層１２の透過率よりも高い。
【００３９】
このような構成において、表示装置ＤＳＰは、例えば、以下のように製造される。すなわち、表示モジュールＭＤＬの表面つまり第２光学素子ＯＤ２の表面に未硬化（あるいは液状）の感光性樹脂ＰＳＲを塗布し、感光性樹脂ＰＳＲの上にカバー部材ＣＢを載置した後に適度に加圧し、感光性樹脂ＰＳＲを押し広げ、感光性樹脂ＰＳＲがアクティブエリアＡＣＴの全域をカバーするように広がった後に、ハロゲンランプなどの紫外線硬化用光源からの紫外線をカバー部材ＣＢの前面側から照射する。透過部ＴＲを透過した紫外線はアクティブエリアＡＣＴに位置する感光性樹脂ＰＳＲに照射され、また、第１着色部Ｃ１を透過した紫外線は周辺エリアＰＲＰに広がった感光性樹脂ＰＳＲに照射される。これにより、感光性樹脂ＰＳＲは硬化し、その広がりが止まるため、エッジＰＳＲＥは第１着色部Ｃ１と対向する位置付近に位置することになる。なお、感光性樹脂ＰＳＲの一部が第２着色部Ｃ２と対向する位置まで広がったとしても、第１着色部Ｃ１を透過した紫外線が回り込み、硬化に寄与するため、感光性樹脂ＰＳＲの更なる広がりを抑制することが可能となる。
【００４０】
したがって、例え狭額縁仕様の表示装置ＤＳＰであっても、あるいは、周辺エリアＰＲＰの幅が狭い表示モジュールＭＤＬを適用した表示装置ＤＳＰであっても、感光性樹脂ＰＳＲをアクティブエリアＡＣＴの全体に亘って配置しつつ、周辺エリアＰＲＰよりも外側への感光性樹脂ＰＳＲの広がりを抑制することが可能となる。つまり、表示モジュールＭＤＬの外側への感光性樹脂ＰＳＲのはみ出しを抑制することが可能となり、品質の劣化を抑制することが可能となる。また、はみ出した樹脂を除去する工程が不要となり、汚染物質の発生を抑制できるとともに、工程数を削減することができる。さらに、未硬化の樹脂の硬化を促進するために、カバー部材ＣＢの前面側から紫外線を照射するプロセスに加えて、側面側や裏面側から紫外線を照射する新たなプロセスを追加する必要がなく、製造設備の簡素化が可能となる。
【００４１】
また、カバー部材ＣＢにおいて、より観察位置に近い側に、可視光波長に対して比較的低透過率の第１着色層１１が第１着色部Ｃ１及び第２着色部Ｃ２に亘って配置されている。このため、第１着色部Ｃ１と第２着色部Ｃ２との境界が視認されにくく、見栄えの低下を抑制することが可能となる。特に、黒色の第１着色層１１を適用した場合には、可視光波長の光がほとんど透過しないため、第１着色部Ｃ１と第２着色部Ｃ２との境界がほとんど視認されることはない。
【００４２】
次に、他の構造例について説明する。
【００４３】
図６は、図２に示したカバー部材ＣＢの他の例を示す平面図である。
【００４４】
ここに示した例のカバー部材ＣＢは、図３に示した例と比較して、第１着色部Ｃ１が連続的なスリット状に形成されている点で相違している。すなわち、カバー部材ＣＢは、第１着色部Ｃ１と透過部ＴＲとの間に第３着色部Ｃ３を備えている。第３着色部Ｃ３は、透過部ＴＲの周囲に連続的に形成された枠状である。第１着色部Ｃ１は、第２着色部Ｃ２と第３着色部Ｃ３との間に形成されている。なお、第１着色部Ｃ１は、不連続的なスリット状に形成されていても良い。また、スリット状の第１着色部Ｃ１は、図示したような１列の場合に限らず、２列以上の複数列に形成されていても良い。
【００４５】
図７は、図６に示したカバー部材ＣＢの周縁部分の断面図である。
【００４６】
第１着色層１１は、基材１０の内面１０Ａにおいて、第１着色部Ｃ１、第２着色部Ｃ２、及び、第３着色部Ｃ３に亘って配置されており、透過部ＴＲには配置されていない。第２着色層１２は、第２着色部Ｃ２及び第３着色部Ｃ３において第１着色層１１に積層されており、透過部ＴＲ及び第１着色部Ｃ１には配置されていない。つまり、第２着色部Ｃ２及び第３着色部Ｃ３には、第１着色層１１及び第２着色層１２が積層されている。
【００４７】
このような構造例のカバー部材ＣＢを適用した場合でも、上記した構造例と同様の効果が得られる。
【００４８】
図８は、図１に示した表示パネルＰＮＬを含む表示装置ＤＳＰの他の例の断面を概略的に示す断面図である。
【００４９】
ここに示した例の表示装置ＤＳＰは、表示モジュールＭＤＬとカバー部材ＣＢとの間にタッチセンサーＴＳを備えている点で相違している。
【００５０】
タッチセンサーＴＳについての詳細は省略するが、ガラス基板や樹脂基板などの透明な支持基板の上に、透明な導電材料（ＩＴＯなど）によって形成されたセンシング用配線などを備えており、透明な平板状に形成されている。このタッチセンサーＴＳは、例えば、アクティブエリアＡＣＴの全体に亘って対向している。タッチセンサーＴＳは、接着剤ＡＤによりカバー部材ＣＢの表示モジュールＭＤＬ側に接着されている。
【００５１】
感光性樹脂ＰＳＲは、表示モジュールＭＤＬの表面（つまり、第２光学素子ＰＤ２の表面）とタッチセンサーＴＳとの間に介在している。
【００５２】
このような表示装置ＤＳＰの製造方法については、例えば、接着剤ＡＤによりカバー部材ＣＢにタッチセンサーＴＳを貼り付けた後に、感光性樹脂ＰＳＲによりタッチセンサーＴＳを表示パネルＰＮＬに接着しているが、表示パネルＰＮＬにタッチセンサーＴＳを貼り付けた後にタッチセンサーＴＳをカバー部材ＣＢに接着しても良い。
【００５３】
このような構造例の表示モジュールＭＤＬを適用した場合でも、上記した構造例と同様の効果が得られる。
【００５４】
図９は、本実施形態の表示装置ＤＳＰに適用可能なカバー部材ＣＢの他の例の断面を概略的に示す断面図である。
【００５５】
図示した例のカバー部材ＣＢは、透明な基材１０と、第１着色層１１と、第２着色層１２と、タッチセンサー１３と、を備えて構成されている。基材１０、第１着色層１１、及び、第２着色層１２については、上記した通りであり、説明を省略する。タッチセンサー１３は、透明な導電材料（ＩＴＯなど）によって形成されたセンシング用配線などを含んでいる。このタッチセンサー１３は、例えば、基材１０の表示モジュール側に設けられている。このタッチセンサー１３は、透過部ＴＲに配置されている。また、タッチセンサー１３は、第１着色層１１及び第２着色層１２に重なり、センシング用配線などがカバー部材ＣＢの周辺に引き出されている。図示しないが、カバー部材ＣＢは、さらに、タッチセンサー１３などを覆う透明なオーバーコート層を備えていても良い。
【００５６】
このような構造例のカバー部材ＣＢを適用した場合でも、上記した構造例と同様の効果が得られる。
【００５７】
図１０は、本実施形態の表示装置ＤＳＰに適用可能なカバー部材ＣＢの他の例の断面を概略的に示す断面図である。
【００５８】
図示した例のカバー部材ＣＢは、その表示モジュール側にタッチセンサー１３が設けられた透明な第１基材１０１と、その表示モジュール側に第１着色層１１及び第２着色層１２が設けられた透明な第２基材１０２と、を備えて構成されている。例えば、第１基材１０１は比較的厚い平板状のガラス基板であり、第２基材１０２は第１基材１０１よりも薄いフィルムである。第１基材１０１のタッチセンサー１３とは反対側の外面は、第２基材１０２と向かい、糊１０３によって第１基材１０１と第２基材１０２とが貼り合わせられている。
【００５９】
このような構造例のカバー部材ＣＢを適用した場合でも、上記した構造例と同様の効果が得られる。
【００６０】
以上説明したように、本実施形態によれば、品質の劣化を抑制することが可能な表示装置及びカバー部材を提供することができる。
【００６１】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６２】
ＤＳＰ…表示装置
ＭＤＬ…表示モジュール  ＰＳＲ…感光性樹脂  ＣＢ…カバー部材
ＰＮＬ…表示パネル  ＡＲ…アレイ基板  ＣＴ…対向基板  ＬＱ…液晶層
ＡＣＴ…アクティブエリア  ＰＲＰ…周辺エリア
ＴＲ…透過部  Ｃ１…第１着色部  Ｃ２…第２着色部  Ｃ３…第３着色部
ＴＳ…タッチセンサー
ＡＤ…接着剤
１０…基材  １１…第１着色層  １２…第２着色層  １３…タッチセンサー
１０１…第１基材  １０２…第２基材  １０３…糊
【図１】
2014056223.tif 000003
【図２】
2014056223.tif 000004
【図３】
2014056223.tif 000005
【図４】
2014056223.tif 000006
【図５】
2014056223.tif 000007
【図６】
2014056223.tif 000008
【図７】
2014056223.tif 000009
【図８】
2014056223.tif 000010
【図９】
2014056223.tif 000011
【図１０】
2014056223.tif 000012